(57)【要約】【課題】熱気流が熱検出部に向かうように誘導できる熱感知器を提供する。【解決手段】設置面に固定される本体部３０を有する筐体２０と、本体部３０から高さ方向に突出する熱検出部２１とを有する熱感知器１０において、筐体２０は、本体部３０から高さ方向に離隔した位置に配置される外郭部３２と、外郭部３２から中央側に延びるガード支持部３３と、ガード支持部３３に支持され熱検出部２１を覆う中央ガード部３４とを有し、中央ガード部３４のうち本体部３０に向かう側の面３４ａは、外郭部３２のうち本体部３０から離れる側の面３２ａより本体部３０から離れている。【選択図】図１
2019159866.tif 000002
【特許請求の範囲】
【請求項１】
設置面に固定される本体部を有する筐体と、前記本体部から高さ方向に突出する熱検出部とを有する熱感知器において、
前記筐体は、前記本体部から高さ方向に離隔した位置に配置される外郭部外郭部と、該外郭部から中央側に延びるガード支持部と、該ガード支持部に支持され前記熱検出部を覆う中央ガード部とを有し、
前記中央ガード部のうち前記本体部に向かう側の面は、前記外郭部のうち前記本体部から離れる側の面より前記本体部から離れていることを特徴とする熱感知器。
【請求項２】
前記ガード支持部は、中央側に向かって前記外郭部から高さ方向において離れる側に向かう傾斜状に形成されて、前記中央ガード部を前記外郭部から持ち上げた位置に配置していることを特徴とする請求項１に記載の熱感知器。
【請求項３】
前記ガード支持部の根元部は、前記外郭部から立ち上がる段差部を有することを特徴とする請求項２に記載の熱感知器。
【請求項４】
前記中央ガード部は、円環状に形成されると共に、内側の縁部が断面弧状に形成されていることを特徴とする請求項１〜３のいずれか１項に記載の熱感知器。
【請求項５】
前記熱検出部は、前記外郭部のうち前記本体部に向かう側の面よりも前記本体部から離れる側まで突出した位置に先端が配置されることを特徴とする請求項１〜４のいずれか１項に記載の熱感知器。
【発明の詳細な説明】
【技術分野】
【０００１】
本発明は、建物の天井面などの設置面に固定され、火災による熱を検出する熱感知器に関する。
【背景技術】
【０００２】
熱感知器は、火災を検出する感知器の一種で、火災による熱を検出する熱検出部を有する。熱検出部として、電気抵抗が温度の変化に応じて変化する半導体であるサーミスタを用いることがある。火災により発生した熱気流がサーミスタに到達することで、熱が検出される。サーミスタは、熱感知器の筐体において本体部より突出するように設けられる。
【０００３】
サーミスタを有する熱感知器の筐体は、本体部から立ち上がり状に形成される側柱部と、側柱部に支持される外郭部と、外郭部から中央側に延びる複数のガード支持部で支持される円環状の中央ガード部とを有し、この中央ガード部でサーミスタの先端部を覆っている。この構造を設けているのは、サーミスタに指等が触れることにより感度が変化することを防止するためであり、中央ガード部のうち本体部から離れる側の面とサーミスタの先端は、所定の離隔距離を有している。このようなサーミスタ及び筐体を有する熱感知器としては、例えば特許文献１に挙げるようなものがある。
【先行技術文献】
【特許文献】
【０００４】
【特許文献１】意匠登録第８９２７１５号公報
【発明の概要】
【発明が解決しようとする課題】
【０００５】
特許文献１の熱感知器は、外郭部と中央ガード部とが、同じ平面上に位置している。外郭部は、中央側に向かってやや上り傾斜状となっており、中央ガード部は外郭部より少し高い位置に配置されているが、その差はほとんどない。このため、外郭部に到達した熱気流は、中央ガード部によって筐体の中央部への流動が妨げられやすく、中央ガード部の内側に位置するサーミスタに熱気流が到達しにくいので、熱感知器における感度低下の要因となっている。より詳細には、外郭部と中央ガードとが略同一曲面上に配置されており、外郭部に到達した熱気流は、外郭部から中央ガード部の表面を滑らかに通過して、中央ガードの内側に流入しない流れが生じている。
【０００６】
本発明は前記課題を鑑みてなされたものであり、熱気流が熱検出部に向かうように誘導できる熱感知器を提供することを目的とする。
【課題を解決するための手段】
【０００７】
前記課題を解決するため、請求項１の発明に係る熱感知器は、設置面に固定される本体部を有する筐体と、前記本体部から高さ方向に突出する熱検出部とを有する熱感知器において、
前記筐体は、前記本体部から高さ方向に離隔した位置に配置される外郭部と、該外郭部から中央側に延びるガード支持部と、該ガード支持部に支持され前記熱検出部を覆う中央ガード部とを有し、
前記中央ガード部のうち前記本体部に向かう側の面は、前記外郭部のうち前記本体部から離れる側の面より前記本体部から離れていることを特徴として構成されている。
【０００８】
請求項１に係る発明によれば、外郭部と中央ガード部との間に高さ方向において隙間が形成され、外郭部に到達した熱気流が当該隙間を通じて熱検出部側に誘導されるので、熱気流を熱検出部に対して効率よく到達させることができる。
【０００９】
また、請求項２の発明に係る熱感知器は、前記ガード支持部は、中央側に向かって前記外郭部から高さ方向において離れる側に向かう傾斜状に形成されて、前記中央ガード部を前記外郭部から持ち上げた位置に配置していることを特徴として構成されている。
【００１０】
請求項２に係る発明によれば、ガード支持部によって中央ガード部と外郭部との間に高さ方向における隙間を形成できる。
【００１１】
さらに、請求項３の発明に係る熱感知器は、前記ガード支持部の根元部は、前記外郭部から立ち上がる段差部を有することを特徴とするとして構成されている。
【００１２】
請求項３に係る発明によれば、外郭部の周方向に沿う熱気流の一部が、段差部によって外郭部と中央ガード部との隙間に誘導され、熱気流を熱検出部側にさらに導くことができる。
【００１３】
さらにまた、請求項４の発明に係る熱感知器は、前記中央ガード部は、円環状に形成されると共に、内側の縁部が断面弧状に形成されていることを特徴として構成されている。
【００１４】
請求項４に係る発明によれば、中央ガード部の位置に上昇した熱気流が、中央ガード部の内側の縁部によって中央側に導かれ、中央ガード部によって覆われる熱検出部に対して熱気流をより導くことができる。
【００１５】
そして、請求項５の発明に係る熱感知器は、前記熱検出部は、前記外郭部のうち前記本体部に向かう側の面よりも前記本体部から離れる側まで突出した位置に先端が配置されることを特徴として構成されている。
【００１６】
請求項５に係る発明によれば、熱検出部の熱を検出する先端部が、外郭部と中央ガード部との間の高さ方向における隙間に近い位置に配置されるので、より感度よく熱を検出することができる。
【発明の効果】
【００１７】
本発明に係る熱感知器によれば、熱気流を効率よく熱検出部に到達させることができるので、熱検出の感度を良好にすることができる。
【図面の簡単な説明】
【００１８】
【図１】本実施形態における熱感知器の正面側から見た斜視図である。
【図２】熱感知器の左側面図である。
【図３】熱感知器の正面図である。
【図４】図３のＡ−Ａ断面図のうち、外郭部より中央側の部分拡大図である。
【発明を実施するための形態】
【００１９】
本発明の実施形態について、図面に沿って詳細に説明する。本実施形態の熱感知器１０は、建物の天井等の設置面に固定され、火災によって生じた熱を検出するものである。図１には本実施形態における熱感知器１０の正面側から見た斜視図を、図２には熱感知器１０の左側面図を、図３には熱感知器１０の正面図を、それぞれ示している。これら各図に示すように、本実施形態の熱感知器１０は、設置面に固定される筐体２０と、火災によって生じた熱を検出する熱検出部２１とを有している。
【００２０】
筐体２０は、火災を検出して火災検出信号を送信するための各種部品を配置した基板等を納める本体部３０を有する。本体部３０は、略円筒状の背面部３０ａと、背面部３０ａより径が大きい略円盤形状の正面部３０ｂとを有している。筐体２０が設置面に固定されることにより、背面部３０ａは設置面の奥側に埋設され、正面部３０ｂの正面側のみが露出する。
【００２１】
筐体２０は、プラスチック等の樹脂材で形成される。ただし、筐体２０はそれ以外の材料で形成されていてもよい。
【００２２】
熱検出部２１は、筐体２０の本体部３０から高さ方向に突出状に設けられている。熱検出部２１は、サーミスタによって構成されており、先端部で熱を検出することができる。
【００２３】
本体部３０には、正面部３０ｂから高さ方向に立ち上がる側柱部３１が、周方向に複数形成されている。側柱部３１は、周方向において均等な間隔で配置されている。側柱部３１は、頂部において外郭部３２を支持している。外郭部３２は、一定の幅を有する円環形状を有し、本体部３０からは高さ方向に離隔配置される。
【００２４】
外郭部３２の周方向３箇所には、当該外郭部３２から立ち上がり、その中央側に向かって延びる腕状のガード支持部３３が設けられている。ガード支持部３３は、外郭部３２から立ち上がる根元部に段差部３３ａを形成している。ガード支持部３３は、中央部において中央ガード部３４を支持している。中央ガード部３４は、小径の円環形状を有している。熱検出部２１は、本体部３０の中央部に配置されており、先端が中央ガード部３４より低い位置に配置されているので、中央ガード部３４によって覆われている。
【００２５】
図４には、図３のＡ−Ａ断面図のうち、外郭部３２より中央側の部分拡大図を示している。この図に示すように、段差部３３ａを有して外郭部３２から立ち上がったガード支持部３３は、中央側に向かって外郭部３２から高さ方向において離れる方向に向かう傾斜状となるように形成されている。このため、ガード支持部３３に支持される中央ガード部３４は、外郭部３２より持ち上げた位置に配置される。中央ガード部３４のうち本体部３０に向かう側の本体部側面部３４ａは、外郭部３２のうち本体部３０から離れる側の外方側面部３２ａよりも、本体部３０から離れている。これにより、外郭部３２と中央ガード部３４との間には、高さ方向において隙間Ｐが形成されている。
【００２６】
火災の際に発生する熱気流は、下方から上方に向かって流動する。外郭部３２に到達した熱気流は、図４に示す矢印Ｒ２のように、一部が中央側に向かって流動する。このとき、中央ガード部３４が外郭部３２と同等の高さ位置にあると、筐体２０の中央部に向かう熱気流の流動が妨げられるが、本実施形態の熱感知器１０では、外郭部３２と中央ガード部３４との間に高さ方向における隙間Ｐが形成されていることで、熱気流は熱検出部２１が配置された中央部に向かって導かれる。
【００２７】
また、外郭部３２の周方向に沿う熱気流がガード支持部３３の段差部３３ａに到達すると、図３に示す矢印Ｒ１のように、段差部３３ａによって一部が中央側に誘導される。段差部３３ａによって中央側に誘導された熱気流は、前述のように、外郭部３２と中央ガード部３４との間の隙間Ｐから、筐体２０の中央部に向かってさらに導かれる。
【００２８】
このように、ガード支持部３３により、中央ガード部３４が外郭部３２から持ち上げられた位置に配置されて高さ方向に置いて隙間Ｐを有していることにより、熱気流を熱検出部２１が配置された筐体２０の中央側に導くことができ、熱検出部２１に熱気流を効率よく到達させることができる。また、ガード支持部３３の段差部３３ａにより、外郭部３２の周方向に沿う熱気流の一部も、熱検出部２１側に導くことができるので、より効率よく熱気流を熱検出部２１側に導くことができる。このため、熱感知器１０の感度を向上させることができる。
【００２９】
図４に示すように、中央ガード部３４は、本体部３０から離れる側の面の内側縁部３４ｂが、断面弧状に形成されている。断面弧状の内側縁部３４ｂにより、中央ガード部３４に向かって上昇する熱気流は、矢印Ｒ３のように、中央ガード部３４の中央部に向かって誘導される。これによって、熱気流を中央ガード部３４から熱検出部２１に向かって誘導し、熱感知器１０の感度をさらに向上させることができる。
【００３０】
図４に示すように、熱検出部２１の先端は、外郭部３２のうち本体部３０に向かう本体部側面部３２ｂよりも、本体部３０から離れる側まで突出した位置に配置されている。これにより、熱を検出する熱検出部２１の先端部が、中央ガード部３４の開口や、外郭部３２と中央ガード部３４との間の高さ方向における隙間Ｐの近くに配置されるので、熱気流に晒されやすくすることができ、熱の検出をより感度よく行うことができる。
【００３１】
以上、本発明の実施形態について説明したが、本発明の適用は本実施形態には限られず、その技術的思想の範囲内において様々に適用され得る。例えば、ガード支持部３３は、上述の実施形態では周方向に３本設けられているが、それ以外の本数であってもよい。
【００３２】
上述の実施形態における熱感知器１０は、小型埋込み型であるが、これ以外のタイプの熱感知器にも、本発明を適用することができる。例えば、設置面に対して取付基部を介して固定される露出型の熱感知器においても、熱検出部と外郭部、ガード支持部及び中央ガード部を有していれば、本発明を適用できる。
【００３３】
また、上述の実施形態では、外郭部３２は円環形状を有しているが、この形状には限られない。例えば、外郭部の外周を多角形状とし、中空となる内周も多角形状とすることができる。外郭部の外周形状と内周形状は、同じでもよいし、異なっていてもよい。また、気流の流入特性に応じて、外郭部の形状を選択してもよい。
【００３４】
また、外郭部３２と中央ガード部３４との高さの差は、ガード支持部３３の高さによって定まるが、外郭部３２の外方側面部３２ａより中央ガード部３４の本体部側面部３４ａの方が本体部３０から離れていればよく、どの程度の差とするかは、必要に応じて適宜設定され得る。
【００３５】
また、本体部３０や側柱部３１の形状等についても、任意に設定できる。
【符号の説明】
【００３６】
１０    熱感知器
２０    筐体
２１    熱検出部
３０    本体部
３０ａ  背面部
３０ｂ  正面部
３１    側柱部
３２    外郭部
３２ａ  外方側面部
３３    ガード支持部
３３ａ  段差部
３４    中央ガード部
３４ａ  本体部側面部
３４ｂ  内側縁部
【図１】
2019159866.tif 000003
【図２】
2019159866.tif 000004
【図３】
2019159866.tif 000005
【図４】
2019159866.tif 000006